(57)【要約】【課題】柱梁の軸材を構造体とする建物の出隅にバルコニーが形成される建物において、その出隅に位置してバルコニーの柱として露出する柱材に対する耐火機能を具備させる。【解決手段】柱梁の軸材を構造体とする建物の出隅にバルコニー３ａが形成される建物の耐火構造において、出隅に位置し、バルコニー３ａの柱３ｂとして露出する柱材２５ｐと、その柱材２５ｐで互いに直交する２方向に各々設けられて、バルコニー３ａがそれぞれ連結される連結材４１と、その２方向の連結材４１の上方で柱材２５ｐの周囲に取り付けられて、バルコニー３ａの床上に突出する防水立ち上がり、すなわち、ボックス状ブラケット７１・７３、サイディング８１、防水シート下地材８３、防水シート５６・６６と、その防水立ち上がり７１・７３・８１・８３・５６・６６の一部から垂れ下がって２方向の連結材４１の間に位置する耐火材８２と、を備える。【選択図】図１５
2018150807.tif 000002
【特許請求の範囲】
【請求項１】
柱梁の軸材を構造体とする建物の出隅にバルコニーが形成される建物の耐火構造において、
前記出隅に位置し、前記バルコニーの柱として露出する柱材と、
前記柱材で互いに直交する２方向に各々設けられて、前記バルコニーがそれぞれ連結される連結材と、
前記２方向の連結材の上方で前記柱材の周囲に取り付けられて、前記バルコニーの床上に突出する防水立ち上がりと、
前記防水立ち上がりの一部から垂れ下がって前記２方向の連結材の間に位置する耐火材と、を備えることを特徴とする建物の耐火構造。
【請求項２】
請求項１に記載の建物の耐火構造において、
前記バルコニーの少なくとも一部を形成し、床部及びその四隅の柱を有するインナーバルコニーと、
前記インナーバルコニーに隣接するバルコニーの床部の端部と前記インナーバルコニーの前記床部の端部とを結合するブラケットと、
前記四隅の柱のうち少なくとも一本の柱からなり、前記バルコニーの床上に露出するバルコニー柱と、
前記インナーバルコニーの前記床部の周囲に取り付けられる耐火材と、
前記バルコニー柱の前記バルコニー床内部に位置する下端の周囲で、前記ブラケットの外側端部に隣接して配置される下地材と、
前記下地材に取り付けられる耐火材と、を備えることを特徴とする建物の耐火構造。
【請求項３】
請求項２に記載の建物の耐火構造において、
前記バルコニー柱下端の周囲に組み付けられるボックス状ブラケットと、
前記ボックス状ブラケットの周囲に取り付けられる耐火材と、を備えることを特徴とする建物の耐火構造。
【請求項４】
請求項３に記載の建物の耐火構造において、
前記ボックス状ブラケットの一隅部下に前記下地材を備えることを特徴とする建物の耐火構造。
【請求項５】
請求項２から４のいずれか一項に記載の建物の耐火構造において、
前記バルコニー柱の前記バルコニー床上に露出する部分の周囲に取り付けられる耐火・防水用の外壁材を備えることを特徴とする建物の耐火構造。
【請求項６】
請求項３から５のいずれか一項に記載の建物の耐火構造において、
前記ボックス状ブラケット周囲の前記耐火材の外側に取り付けられる防水シート下地材と、
前記バルコニー床上に置かれる床材と、
前記床材の上に敷かれて、前記防水シート下地材の外側を覆って取り付けられる防水シートと、を備えることを特徴とする建物の耐火構造。
【発明の詳細な説明】
【技術分野】
【０００１】
本発明は、柱梁の軸材を構造体とする建物の出隅にバルコニーが形成される建物の耐火構造に関する。
【背景技術】
【０００２】
ユニット式建物において、現場作業を大幅に簡略化し、施工期間を短縮化できると共に、ユニット製造が容易でコストダウンを図ることができるバルコニーが特許文献１に提案される。
これは、ルーフバルコニーに併設されるインナー付き建物ユニットが、略直方体状の骨組みと、その対向する床梁間に配設される床パネルとを備え、床パネル上に配設されるインナー部が、その四隅に立設される複数の柱の下端部間を立ち上がり下地によって連結され、立ち上がり下地と床パネルとの間に防水シートが敷設されて構成される。そして、インナー部の床パネル上には、ルーフバルコニーの床面を構成するＡＬＣ床パネルと接続され、床面を形成する連結部材が配設されており、ルーフバルコニーの床面からインナー部の床面へと連続して防水層が敷設される。
【０００３】
なお、建物ユニットの外周に耐火層を設けるため、バルコニーの取付として露出する梁の表面に耐火板材を設ける。
【先行技術文献】
【特許文献】
【０００４】
【特許文献１】特開２０１４−１４５１７５号公報
【発明の概要】
【発明が解決しようとする課題】
【０００５】
ところで、ルーフバルコニー等のバルコニーを広くするため、そのバルコニーの一部のインナーバルコニーを形成し、フレーム床部及びその四隅の柱を有するインナーバルコニーユニットを用いることが考えられる。
【０００６】
その場合、建物の周囲にはバルコニーの周囲を含んで耐火材である外壁材が取り付けられて、インナーバルコニーユニットのフレーム床部の梁の外側面には耐火材であるサイディングが取り付けられる。
また、インナーバルコニーユニットのフレーム床部の梁端部と、その外側に建物から張り出すキャンチバルコニーユニットのフレーム床部の梁端部とはブラケットを介して連結される。
【０００７】
さらに、建物の直交する２方向にも跨るキャンチバルコニーユニットを設ける場合には、インナーバルコニーユニットのフレーム床部の一隅部に直交方向にブラケットが位置し、その直交方向のブラケットから外側の角部に耐火材を設けることができなくなる。
【０００８】
その場合、バルコニー床の上に露出する、例えば１本のバルコニー柱としてのユニット柱の周囲には外壁材が取り付けられるが、バルコニー床とバルコニー柱の下端との関係では、耐火の面で効果的な提案がなされてこなかった。
【０００９】
本発明の課題は、柱梁の軸材を構造体とする建物の出隅にバルコニーが形成される建物において、その出隅に位置してバルコニーの柱として露出する柱材に対する耐火機能を具備させることである。
【課題を解決するための手段】
【００１０】
以上の課題を解決するため、請求項１に記載の発明は、例えば図１〜図３、図５、図７、図１２〜図１６に示すように、
柱梁の軸材を構造体とする建物の出隅にバルコニー３ａが形成される建物の耐火構造において、
前記出隅に位置し、前記バルコニー３ａの柱３ｂとして露出する柱材２５ｐと、
前記柱材２５ｐで互いに直交する２方向に各々設けられて、前記バルコニー３ａがそれぞれ連結される連結材（ブラケット）４１と、
前記２方向の連結材４１の上方で前記柱材２５ｐの周囲に取り付けられて、前記バルコニー３ａの床上に突出する防水立ち上がり（ボックス状ブラケット７１・７３、サイディング８１、防水シート下地材８３、防水シート５６・６６）と、
前記防水立ち上がり７１・７３・８１・８３・５６・６６の一部から垂れ下がって前記２方向の連結材４１の間に位置する耐火材（サイディング）８２と、を備えることを特徴とする。
【００１１】
請求項１に記載の発明によれば、柱梁の軸材を構造体とする建物の出隅にバルコニー３ａが形成される建物において、出隅に位置する柱材２５ｐがバルコニー３ａの柱３ｂとして露出し、そのバルコニー３ａの柱３ｂとして露出する柱材２５ｐで、互いに直交する２方向に、バルコニー３ａがそれぞれ連結される連結材４１を各々設けて、その２方向の連結材４１の上方で柱材２５ｐの周囲に、バルコニー３ａの床上に突出する防水立ち上がり（ボックス状ブラケット７１・７３、サイディング、防水シート下地材８３、防水シート５６・６６）を取り付けて、その防水立ち上がり７１・７３・８１・８３・５６・６６の一部から垂れ下がって２方向の連結材４１の間に位置する耐火材８２を設けることで、出隅に位置してバルコニー３ａの柱３ｂとして露出する柱材２５ｐに対する耐火機能を具備させることができる。
【００１２】
請求項２に記載の発明は、例えば図１〜図３、図５、図７、図１２〜図１６に示すように、
請求項１に記載の建物の耐火構造において、
前記バルコニー３ａの少なくとも一部を形成し、床部２５ｆ及びその四隅の柱２５ｐを有するインナーバルコニー２５と、
前記インナーバルコニー２５に隣接するバルコニー２８・２９の床部２８ｆ・２９ｆの端部と前記インナーバルコニー２５の前記床部２５ｆの端部とを結合するブラケット４１と、
前記四隅の柱２５ｐのうち少なくとも一本の柱からなり、前記バルコニー３ａの床上に露出するバルコニー柱３ｂ（２５ｐ）と、
前記インナーバルコニー２５の前記床部２５ｐの周囲に取り付けられる耐火材５２と、
前記バルコニー柱３ｂ（２５ｐ）の前記バルコニー３ａの床内部に位置する下端の周囲で、前記ブラケット４１の外側端部に隣接して配置される下地材７２と、
前記下地材７２に取り付けられる耐火材８２と、を備えるバルコニー柱の耐火構造を特徴とする。
【００１３】
請求項２に記載の発明によれば、建物のバルコニー３ａの少なくとも一部を形成し、床部２５ｆ及びその四隅の柱２５ｐを有するインナーバルコニー２５の床部２５ｆの端部と、そのインナーバルコニー２５に隣接するバルコニー２８・２９の床部２８ｆ・２９ｆの端部とをブラケット４１で結合して、インナーバルコニー床部２５ｆの周囲に耐火材５２を取り付けることで、耐火機能を具備させることができる。
そして、四隅の柱２５ｐのうち少なくとも一本の柱からなり、バルコニー３ａの床上に露出するバルコニー柱３ｂ（２５ｐ）のバルコニー３ａの床内部に位置する下端の周囲で、ブラケット４１の外側端部に隣接して配置される下地材７２に耐火材８２を取り付けることで、耐火機能を具備させることができる。
【００１４】
請求項３に記載の発明は、例えば図１、図１５、図１６に示すように、
請求項２に記載の建物の耐火構造において、
前記バルコニー柱３ｂ（２５ｐ）下端の周囲に組み付けられるボックス状ブラケット７１・７３と、
前記ボックス状ブラケット７１・７３の周囲に取り付けられる前記耐火材８１と、を備えることを特徴とする。
【００１５】
請求項３に記載の発明によれば、バルコニー柱３ｂ（２５ｐ）下端の周囲にボックス状ブラケット７１・７３を組み付けて、そのボックス状ブラケット７１・７３の周囲に耐火材８１を取り付けて備えることができる。
【００１６】
請求項４に記載の発明は、例えば図７〜図１３、図１５に示すように、
請求項３に記載の建物の耐火構造において、
前記ボックス状ブラケット７１・７３の一隅部下に前記下地材７２を備えることを特徴とする。
【００１７】
請求項４に記載の発明によれば、バルコニー柱３ｂ（２５ｐ）下端周囲のボックス状ブラケット７１・７３の一隅部下に下地材７２を備えることで、その下地材７２に耐火材８２を取り付けることができる。
【００１８】
請求項５に記載の発明は、例えば図７、図９、図１０、図１２に示すように、
請求項２から４のいずれか一項に記載の建物の耐火構造において、
前記バルコニー柱３ｂ（２５ｐ）の前記バルコニー床３ｂ（２５ｐ）上に露出する部分の周囲に取り付けられる耐火・防水用の外壁材８５を備えることを特徴とする。
【００１９】
請求項５に記載の発明によれば、バルコニー柱３ｂ（２５ｐ）のバルコニー床３ｂ（２５ｐ）上に露出する部分の周囲に耐火・防水用の外壁材８５を取り付けて備えることで、バルコニー柱３ｂ（２５ｐ）のバルコニー床３ｂ（２５ｐ）上に露出する部分の周囲に対し、外壁材８５により耐火機能及び防水機能を具備させることができる。
【００２０】
請求項６に記載の発明は、例えば図４、図５、図１２、図１５に示すように、
請求項３から５のいずれか一項に記載の建物の耐火構造において、
前記バルコニー柱３ｂ（２５ｐ）下端の前記耐火材８１の外側に取り付けられる防水シート下地材８３と、
前記バルコニー床上に置かれる床材５６・６７と、
前記床材５６・６７の上に敷かれて、前記バルコニー柱３ｂ（２５ｐ）下端の前記防水シート下地材８３の外側を覆って取り付けられる防水シート５６・６６と、
を備えることを特徴とする。
【００２１】
請求項６に記載の発明によれば、バルコニー柱３ｂ（２５ｐ）下端の耐火材８１の外側に防水シート下地材８３を取り付けておき、バルコニー床上の床材５６・６７の上に防水シート５６・６６を敷いて、その防水シート５６・６６をバルコニー柱３ｂ（２５ｐ）下端の防水シート下地材８３の外側に覆って取り付けることで、バルコニー柱３ｂ（２５ｐ）下端の周囲に対し、耐火材８１外側の防水シート下地材８３外側の防水シート５６・６６により防水機能を具備させることができる。
【発明の効果】
【００２２】
本発明によれば、柱梁の軸材を構造体とする建物の出隅にバルコニーが形成される建物において、その出隅に位置してバルコニーの柱として露出する柱材に対する耐火機能を具備させることができる。
【図面の簡単な説明】
【００２３】
【図１】本発明を適用するバルコニーを備えるユニット式建物の一例を示す概略斜視図である。
【図２】図１の建物のユニット配置を示すもので、１階ユニット配置図（ａ）、２階ユニット配置図（ｂ）、及び３階ユニット配置図（ｃ）である。
【図３】インナーバルコニーユニット、キャンチバルコニーユニット、及びその上のキャンチバルコニーユニットの分解斜視図である。
【図４】図１のバルコニーのフレーム構成例を示す平面図である。
【図５】図４のインナーバルコニーユニットの柱を示す平面図である。
【図６】図１のバルコニーの桁側構成例を示す縦断面図である。
【図７】図５のバルコニー柱の下端に対する長辺側ブラケットの取り付けを示す概略斜視図である。
【図８】内側の長辺側ブラケットの正面図（ａ）と、その平面図（ｂ）及び側面図（ｃ）である。
【図９】外側の長辺側ブラケットの正面図（ａ）と、その平面図（ｂ）及び側面図（ｃ）である。
【図１０】図７の長辺側ブラケットに対する短辺側ブラケットの取り付けを示す図である。
【図１１】短辺側ブラケットの正面図（ａ）と、その平面図（ｂ）及び側面図（ｃ）である。
【図１２】耐火材取付状態で防水シート下地材の取り付けを示す概略斜視図である。
【図１３】図１２の耐火材取付部の横断面図である。
【図１４】図１２の耐火材取付状態のバルコニー床上部分を示す図である。
【図１５】図１４のバルコニー床上に防水シートを敷いてバルコニー柱に外壁材を取り付けた状態を示した縦断面図である。
【図１６】図１５の外壁材取付状態の平面図である。
【図１７】バルコニー柱を横断面にしてその周辺部の構成を示した概略平面図である。
【発明を実施するための形態】
【００２４】
以下、図面を参照して本発明の実施の形態について説明する。
【００２５】
（実施形態１）
図１は本発明を適用するバルコニーを備えるユニット式建物の一例を示すもので、第一家屋本体部と第二家屋本体部とを有する建物本体と、上部構造と、オーバーハング部と、複数のバルコニーからなるバルコニー領域と、を備える。また、図１において、１は第一家屋本体部、２は第二家屋本体部、３はオーバーハング部である。
【００２６】
実施形態の建物は、図示のように、建物本体が、片流れ屋根と、上部構造の下方に位置する二階建ての第一家屋本体部１と、陸屋根の下方に位置する三階建ての第二家屋本体部２と、を有するユニット住宅である。これら第一家屋本体部１と第二家屋本体部２は、互いに隣接して空間的に連続した状態となっている。また、このユニット住宅は、第一家屋本体部１の２階部分外壁の直交する二面（正面及び右側面）に跨ってオーバーハングするオーバーハング部３を備えている。このオーバーハング部３の内側に、このオーバーハング部３を含む形で、インナーバルコニー３ａが設けられている。
【００２７】
第一家屋本体部１と第二家屋本体部２とを有する建物本体は、略直方体フレーム状に形成された複数の建物ユニットを組み合わせて構築されている。
１階から３階の各建物ユニットは、四隅に立設された柱の上端間及び下端間をそれぞれ梁で直結した略直方体状のフレームを有して、下端部を床、上端部を天井、周囲を必要に応じて壁で覆ってそれぞれ構成される。
【００２８】
オーバーハング部３の上部構造は、下屋バルコニーであり、その下屋バルコニーは、建物本体の上に設けられ、この建物本体の上階部における屋外側の複数方向の面よりも外側に張り出した状態となっている。
また、オーバーハング部３は、その上部構造である下屋バルコニーの張出部分の下方に位置し、かつ建物本体の上階部における屋外側の複数方向の面に跨ってオーバーハングするように設けられている。
これら下屋バルコニーおよびオーバーハング部３も、建物本体を構成する各建物ユニットに連結される各種ユニットによって構成されている。
【００２９】
図２は図１の建物のユニット配置を示すもので、１１〜１４は１階建物ユニット、２１〜２３は２階建物ユニット、２４はサービスバルコニーユニット（下屋バルコニーユニット）、２５はインナーバルコニーユニット、２６・２７はオーバーハングユニット、２８はキャンチバルコニーユニット、２９はコーナーキャンチバルコニーユニット、３１・３２は３階建物ユニット、３３・３４は小屋パネル、３５〜３７は下屋バルコニーユニット、３８はキャンチバルコニーユニット、３９はコーナーキャンチバルコニーユニットである。
【００３０】
先ず、１階ユニット配置は、図２（ａ）に示すように、１階建物ユニット１１・１２・１３・１４を縦横方向に並べて組み付けて構成される。
【００３１】
次に、２階ユニット配置は、１階建物ユニット１１・１２・１３・１４の上に各々載せて、図２（ｂ）に示すように、２階建物ユニット２１・２２・２３、サービスバルコニーユニット２４、及びインナーバルコニーユニット２５を縦横方向に並べて組み付けて構成される。
【００３２】
以上において、図示下側で右側の１階建物ユニット１２・１３の入隅部に位置する中央の１階建物ユニット１４の上にサービスバルコニーユニット２４を配置して、図示上側で左側の出隅部に位置する１階建物ユニット１１の上にインナーバルコニーユニット２５を配置している。
なお、サービスバルコニーユニット２４は、下屋バルコニーユニットであり、バルコニーフレーム、そのフレーム床部上の防水シート、床材が一体化されている。そのバルコニーフレームは、建物ユニットと同寸法で、四隅の柱と上下接合支持されている。本実施例では、下屋バルコニーユニットに手摺も一体化させている。
【００３３】
そして、インナーバルコニーユニット２５の右側に並ぶ２階建物ユニット２３の外側（図示上側）に沿ってオーバーハングユニット２６を結合し、インナーバルコニーユニット２５の下側に並ぶ２個の２階建物ユニット２１・２１の各々外側（図示左側）に沿ってオーバーハングユニット２７をそれぞれ結合している。
なお、インナーバルコニーユニット２５は、略直方体状のフレーム、そのフレーム床部上の防水シート、床材、天井、及びその天井上の小屋パネルが一体化されている。その略直方体状のフレームを構成する四隅の柱のうち１本が、インナーバルコニー３ａのバルコニー柱３ｂとして露出している。
また、オーバーハングユニット２６・２７は、通常の建物ユニットと同様、略直方体状のフレーム、床、壁、及び天井がそれぞれ一体化されている。このオーバーハングユニット２６・２７は、水平方向に隣接する建物ユニット２３・２１にそれぞれ接合支持されている。
【００３４】
さらに、インナーバルコニーユニット２５の図示上側に沿ってキャンチバルコニーユニット２８を結合するとともに、同じくインナーバルコニーユニット２５の図示左側に沿ってコーナーキャンチバルコニーユニット２９を結合している。
なお、キャンチバルコニーユニット２８及びコーナーまでの寸法を有するコーナーキャンチバルコニーユニット２９は、バルコニーフレーム、そのフレーム床部上の防水シート、床材、及び手摺がそれぞれ一体化されている。
【００３５】
以上のようにして２階ユニットが配置されている。つまり、オーバーハング部３は、建物本体の出隅に位置し、床が、建物本体（第一家屋本体部１及び第二家屋本体部２）の上階（２階）部における屋外側の複数方向の面よりも張り出して設けられるキャンチバルコニー（キャンチバルコニーユニット２８及びコーナーキャンチバルコニーユニット２９参照）と、そのキャンチバルコニーの両端部の各々に設けられ、上端部がその上部構造（下屋バルコニー３ｃ）にそれぞれ接続される壁と、を有した状態となっている。
さらに、建物本体の上階（２階）部を構成する建物ユニット２１・・・のうち、オーバーハング部３に隣接する建物ユニット２５には、キャンチバルコニーの床と連続する床を備えるとともに屋外に開放されて、オーバーハング部３と共にインナーバルコニー３ａを構成するバルコニー領域が含まれた状態となっている。
【００３６】
そして、壁を含むオーバーハング部３全体の壁は、コ字状の壁面と、その対称のコ字状の壁面とを出隅部で向かい合わせたような状態に形成される。しかも、壁は、図１で見えている側の面だけでなく、それに直交する面にも範囲が及んでいる。
また、壁の下端部は、下階（１階）部の上端部の高さに達する。
なお、インナーバルコニー３ａの内壁面は、壁と直交して設けられる。
【００３７】
次に、３階ユニット配置は、２階建物ユニット２１・２２・２３、インナーバルコニーユニット２５、オーバーハングユニット２６・２７の上に各々載せて、キャンチバルコニーユニット２８及びコーナーキャンチバルコニーユニット２９の上方に各々配置し、図２（ｃ）に示すように、３階建物ユニット３１・３２、小屋パネル３３・３４、下屋バルコニーユニット３５〜３７、キャンチバルコニーユニット３８及びコーナーまでの寸法を有するコーナーキャンチバルコニーユニット３９を縦横方向に並べて組み付けて構成される。
【００３８】
インナーバルコニーユニット２５の図示下側に並ぶ２階建物ユニット２１・２２及びその右側の２階建物ユニット２３の各上に小屋パネル３３・３４をそれぞれ配置している。
【００３９】
そして、インナーバルコニーユニット２５とその右側に並ぶ２階建物ユニット２３の各上に下屋バルコニーユニット３５をそれぞれ配置して接合するとともに、オーバーハングユニット２６・２７の各上に下屋バルコニーユニット３６・３７をそれぞれ配置して接合している。
また、キャンチバルコニーユニット２８及びコーナーキャンチバルコニーユニット２９の上階にキャンチバルコニーユニット３８及びコーナーキャンチバルコニーユニット３９をそれぞれ配置している。
なお、下屋バルコニーユニット３５は、バルコニーフレーム、そのフレーム床部上の防水シート、及び床材で構成されている。
【００４０】
また、下屋バルコニーユニット３６・３７は、バルコニーフレーム、そのフレーム床部上の防水シート、床材、及び手摺がそれぞれ一体化されている。
同様に、キャンチバルコニーユニット３８及びコーナーキャンチバルコニーユニット３９も、バルコニーフレーム、そのフレーム床部上の防水シート、床材、及び手摺がそれぞれ一体化されている。このキャンチバルコニーユニット３８及びコーナーキャンチバルコニーユニット３９は、下屋バルコニーユニット３５・３６・３７にそれぞれ接合して支持される。
【００４１】
以上のようにして３階ユニットが配置されている。つまり、建物本体の上に設けられ、この建物本体の上階部における屋外側の複数方向の面よりも外側に張り出した状態となっている。
【００４２】
続いて、オーバーハング部３周囲の構成についてより詳細に説明する。
【００４３】
ここで、オーバーハング部３に隣接する建物ユニットは、上階建物ユニット２５・２１・２３の三つである。
そして、上階建物ユニット２５の出隅・屋外側面と、他の二つの上階建物ユニット２１，２３の屋外側面に対応する範囲内で、オーバーハング部３（壁及びキャンチバルコニー）が設けられる。すなわち、オーバーハング部３は、キャンチバルコニーユニット２８及びコーナーキャンチバルコニーユニット２９と、両方のオーバーハングユニット２６・２７と、からなる。
【００４４】
図３はインナーバルコニーユニット２５、その上の下屋バルコニーユニット３５、オーバーハング部３のキャンチバルコニーユニット２８及びコーナーキャンチバルコニーユニット２９、その上方に位置するキャンチバルコニーユニット３８及びコーナーキャンチバルコニーユニット３９を分解して示した斜視図である。
【００４５】
図４は図１のオーバーハング部３のフレーム構成例を示すもので、オーバーハングユニット２６・２７、キャンチバルコニーユニット２８及びコーナーキャンチバルコニーユニット２９は、２階建物ユニット２１・２３のフレーム床部（図示せず）と、インナーバルコニーユニット２５のバルコニーフレーム床部２５ｆにそれぞれ結合される。
【００４６】
図示例では、出隅部のインナーバルコニーユニット２５のバルコニーフレーム床部２５ｆの長辺部に対し、キャンチバルコニーユニット２８のバルコニーフレーム床部２８ｆが、各々の両端部でブラケット４１を介してボルト結合や溶接等により強固に連結されている。
また、バルコニーフレーム床部２５ｆの短辺部に対し、コーナーキャンチバルコニーユニット２９のバルコニーフレーム床部２９ｆが、同様に、各々の両端部でブラケット４１を介してボルト結合や溶接等により強固に連結されている。
【００４７】
詳細には、バルコニーフレーム床部２５ｆの長辺部と短辺部の両端に各々溶接したブラケット４１に対し、バルコニーフレーム床部２８ｆ・２９ｆがブラケット４１の各々の受け板４２を介してボルト結合や溶接等により強固に連結されている。
なお、図示例では、バルコニーフレーム床部２５ｆの短辺部の両端に各々溶接したブラケット４１に対し、バルコニーフレーム床部２９ｆの一端部と、他端部側に延長した延長部２９ｇを備える中間梁２９ｈ部とが、ブラケット４１の各々の受け板４２を介してボルト結合や溶接等により強固に連結されている。
そして、バルコニーフレーム床部２５ｆの短辺部に連結したバルコニーフレーム床部２９ｆの延長部２９ｇの先端が、バルコニーフレーム床部２８ｆの一端部先端に溶接したブラケット４１に対し、受け板４２を介してボルト結合や溶接等により強固に連結されている。
【００４８】
なお、オーバーハングユニット２６・２７と、２階建物ユニット２１・２３のフレーム床部との各々の結合についても、図示しないが、同様のブラケット４１を介してボルト結合や溶接等により強固に連結されている。
【００４９】
また、下屋バルコニーユニット３５・３６とキャンチバルコニーユニット３８及びコーナーキャンチバルコニーユニット３９との各々の結合、３階の小屋パネル３４と下屋バルコニーユニット３７との各々の結合についても、図示しないが、同様のブラケット４１を介してボルト結合や溶接等により強固に連結されている。
【００５０】
以上のように、建物本体の上階部における屋外側の複数方向の面よりも外側に張り出す上部構造（下屋バルコニー）と、その上部構造の張出部分の下方に位置し、かつ建物本体の上階部における屋外側の複数方向の面に跨ってオーバーハングするように設けられたオーバーハング部３を備えるユニット式建物で、その建物本体の出隅に位置し、床が、建物本体の上階部における屋外側の複数方向の面よりも張り出して設けられるキャンチバルコニー（キャンチバルコニーユニット２８・２９）と、そのキャンチバルコニーの両端部の各々に設けられ、上端部が上部構造（下屋バルコニー）にそれぞれ接続される壁と、を有するオーバーハング部３としたため、外観における意匠性を高めることができる。
【００５１】
すなわち、ユニット式建物において、インナーバルコニーユニット２５のフレーム床部に結合したキャンチバルコニーユニット２８・２９と、インナーバルコニーユニット２５のフレーム天井部上に配置して結合した下屋バルコニーユニット３５と、その下屋バルコニーユニット３５のフレーム床部に結合してキャンチバルコニーユニット２８・２９の上階に配置したキャンチバルコニーユニット３８・３９とにより、意匠の構成要素としてオーバーハング部３を含むボックス体が形成され、このボックス体が建物本体からオーバーハングしていながらズレて配置されたように見せることができて、意匠性を高めることができる。
【００５２】
しかも、オーバーハング部３はキャンチバルコニー（キャンチバルコニーユニット２８・２９）により構成されるので、オーバーハング部３を軽量化することができる。
具体的には、オーバーハング部３は、インナーバルコニーユニット２５の直交方向の二面にそれぞれ取り付けられるキャンチバルコニーユニット２８・２９であって、そのインナーバルコニーユニット２５及びキャンチバルコニーユニット２８・２９の上に上部構造である下屋バルコニーを備えて、そのキャンチバルコニーユニット２８・２９の側方及び上部構造（下屋バルコニー）に跨る壁を備える構成なので、オーバーハング部３を軽量化することができる。
また、重量及びサイズを抑えることができるので、輸送時における利点もある。
【００５３】
そして、建物本体の上階（２階）部を構成する建物ユニット２１・・・のうち、オーバーハング部３に隣接する建物ユニット２５には、キャンチバルコニー（キャンチバルコニーユニット２８・２９）の床と連続する床を備えるとともに屋外に開放されて、オーバーハング部３と共にインナーバルコニー３ａを構成するバルコニー領域が含まれているので、オーバーハング部３を含めてインナーバルコニー３ａを広くすることができるとともに、外観における意匠性をさらに高めることができる。
また、インナーバルコニー３ａの外壁からキャンチバルコニー（キャンチバルコニーユニット２８・２９）の先端までの距離が大きく、よりオーバーハングしているように見せることができる。
【００５４】
次に、図５はインナーバルコニーユニット２５の柱２５ｐを示すもので、インナーバルコニーユニット２５のバルコニーフレーム床部２５ｆの長辺梁２５ｆＬ及び短辺梁２５ｆＳを四隅で各々結合するボックス状のダイヤフラム２５ｆＤ上の柱２５ｐのうち１本が、図示のように、オーバーハング部３のインナーバルコニー３ａに露出するバルコニー柱３ｂとなっている。
【００５５】
図６はインナーバルコニー３ａの桁側構成例を示すもので、インナーバルコニーユニット２５のバルコニーフレーム床部２５ｆの長辺梁２５ｆＬの外側面には、ブラケット５１が溶接され、そのブラケット５１に耐火材であるサイディング５２がビス止めして取り付けられている。そして、インナーバルコニーユニット２５の床材５３の外側に沿って設けた補助梁５４の上に面材５５が支持されて、床材５３及び面材５５の上に防水シート５６が敷かれる。なお、補助梁５４の外側面とバルコニーフレーム床部２５ｆの長辺梁２５ｆＬの外側部上面とに渡って断熱材５７が設けられている。
【００５６】
また、キャンチバルコニーユニット２８のバルコニーフレーム床部２８ｆの長辺梁２８ｆＬの外側面には、耐火・防水用の外壁材６１が取り付けられて、その外壁材６１の上に笠木６２が取り付けられている。そして、キャンチバルコニーユニット２８の面材６３の内側端を支持する角パイプ６４に沿って、インナーバルコニーユニット２５の面材５５の外側端を支持する山形鋼６５が設けられている。
さらに、面材６３の上に防水シート６６が敷かれる。この防水シート６６は、図示のように、インナーバルコニーユニット２５の面材５５の上に敷かれてから、その上に、インナーバルコニーユニット２５の床材５３の上に敷いた防水シート５６が敷かれる。この防水シート５６の上には、図示しない床仕上げ材が設けられる。
【００５７】
なお、インナーバルコニー３ａの妻側の構成も桁側と同様である。
【００５８】
図７はバルコニー柱３ｂ（２５ｐ）の下端に対する長辺側ブラケット７１の取り付けを示すもので、ボックス状のダイヤフラム２５ｆＤ上のバルコニー柱３ｂ（２５ｐ）の下端に対し、図示のように、バルコニーフレーム床部２５ｆの長辺梁２５ｆＬに沿って配置されて、互いに対向する一対の長辺側ブラケット７１を溶接して固定する。
【００５９】
ここで、内側の長辺側ブラケット７１は、図８（ａ）（ｂ）及び（ｃ）に示すように、山形鋼及び鋼板を井桁状に組んで溶接した構成となっている。
【００６０】
そして、外側の長辺側ブラケット７１は、図９（ａ）（ｂ）及び（ｃ）に示すように、山形鋼及び鋼板を井桁状に組んで溶接した構成で、その一隅部下に山形鋼によるサイディング下地材７２を溶接して一体に備えている。
このサイディング下地材７２は、ダイヤフラム２５ｆＤの出隅部に位置している。また、サイディング下地材７２は、ダイヤフラム２５ｆＤから離間して配置されている。
【００６１】
次に、図１０は長辺側ブラケット７１に対する短辺側ブラケット７３の取り付けを示すもので、ボックス状のダイヤフラム２５ｆＤ上のバルコニー柱３ｂ（２５ｐ）の下端に対し、図示のように、バルコニーフレーム床部２５ｆの短辺梁２５ｆＳに沿って配置されて、互いに対向する一対の短辺側ブラケット７３を溶接して固定する。
これにより、バルコニー柱３ｂ（２５ｐ）の下端には、各々対をなす長辺側ブラケット７１及び短辺側ブラケット７３によるボックス状ブラケットが備えられる。
【００６２】
ここで、短辺側ブラケット７３は、図１１（ａ）（ｂ）及び（ｃ）に示すように、山形鋼及び鋼板を井桁状に組んで溶接した構成となっている。
【００６３】
次に、図１２はサイディング５２・８１・８２の取付状態で防水シート下地材であるＢＰ鋼板８３の取り付けを示すもので、図示のように、バルコニー柱３ｂ（２５ｐ）下端周囲のボックス状ブラケットを形成する長辺側ブラケット７１及び短辺側ブラケット７３に、サイディング８１をそれぞれビス止めして固定する。
【００６４】
そのサイディング８１取付部の横断面を図１３に示している。
【００６５】
また、図１２に示すように、外側の長辺側ブラケット７１の一隅部下のサイディング下地材７２にも、その直交する外側面に、サイディング８２をそれぞれビス止めして固定する。このサイディング８２と、長辺側ブラケット７１及び短辺側ブラケット７３に固定されたサイディング８１の表面は面一となっている。
【００６６】
なお、インナーバルコニーユニット２５のバルコニーフレーム床部２５ｆの長辺梁２５ｆＬ及び短辺梁２５ｆＳの外側面には、前述したように、ブラケット５１が溶接されて、そのブラケット５１にサイディング５２がそれぞれビス止めして取り付けられている。このサイディング５２と、長辺側ブラケット７１及び短辺側ブラケット７３に固定されたサイディング８１の表面も面一となっている。
また、サイディング下地材７２と、バルコニーフレーム床部２５ｆの長辺梁２５ｆＬ及び短辺梁ｆＳとの間に形成される空所には、インナーバルコニーユニット２５に隣接するキャンチバルコニーユニット２８及びコーナーキャンチバルコニーユニット２９のフレーム床部２８ｆ・２９ｆとインナーバルコニーユニット２５のフレーム床部２５ｆとを結合するブラケット４１が通されている。
【００６７】
さらに、四周のサイディング８１の外側には、ＢＰ鋼板８３をそれぞれビス止めして固定する。このＢＰ鋼板８３は、図示のように、上部を内側に直角に折り曲げて、長辺側ブラケット７１、短辺側ブラケット７３、及びサイディング８１の上面を覆う形状となっている。
【００６８】
図１４はＢＰ鋼板８３の取付状態のバルコニー床上部分を示すもので、インナーバルコニー３ａの床上に露出するＢＰ鋼板８３の四隅部には、図示のように、隅パッチ８４をそれぞれビス止めして固定する。
【００６９】
図１５はバルコニー床上に防水シート５６・６６を敷いてバルコニー柱３ｂ（２５ｐ）に外壁材８５を取り付けた状態を示したもので、前述したように、インナーバルコニーユニット２５の床材５３の上に敷かれる防水シート５６を、図示のように、ＢＰ鋼板８３の外側面に沿わせてバルコニー柱３ｂ（２５ｐ）下部周囲にまで巻き付ける。
【００７０】
また、キャンチバルコニーユニット２８のバルコニーフレーム床部２８ｆ上の床材６７の上に敷かれる防水シート６６を、図示のように、ＢＰ鋼板８３の外側面に沿わせてバルコニー柱３ｂ（２５ｐ）下部周囲にまで巻き付ける。
【００７１】
そして、バルコニー柱３ｂ（２５ｐ）の周囲には、耐火・防水用の外壁材８５をボルト止め等して固定する。
【００７２】
その外壁材８５の取付状態を図１６に示している。
【００７３】
また、バルコニー柱を横断面にしてその周辺部の概略構成を図１７に示している。
【００７４】
以上、実施形態によれば、ユニット式建物のバルコニー３ａの少なくとも一部のインナーバルコニーを形成し、フレーム床部２５ｆ及びその四隅の柱２５ｐを有するインナーバルコニーユニット２５のフレーム床部２５ｆの端部と、隣接するキャンチバルコニーユニット２８及びコーナーキャンチバルコニーユニット２９のフレーム床部２８ｆ・２９ｆの端部とをブラケット４１で結合して、インナーバルコニーユニットフレーム床部２５ｆの周囲にサイディング５２を取り付けることで、耐火機能を具備させることができる。
そして、四隅の柱２５ｐのうち少なくとも一本の柱からなり、バルコニー３ａの床上に露出するバルコニー柱３ｂ（２５ｐ）のバルコニー３ａの床内部に位置する下端の周囲で、ブラケット４１の外側端部に隣接して配置される下地材７２にサイディング８１を取り付けることで、耐火機能を具備させることができる。
【００７５】
また、バルコニー柱３ｂ（２５ｐ）下端の周囲にボックス状ブラケット７１・７３を組み付けて、そのボックス状ブラケット７１・７３の周囲にサイディング８１を取り付けて備えることができる。
【００７６】
さらに、バルコニー柱３ｂ（２５ｐ）下端周囲のボックス状ブラケット７１・７３の一隅部下に下地材７２を備えることで、その下地材７２にサイディング８２を取り付けることができる。
【００７７】
また、バルコニー柱３ｂ（２５ｐ）のバルコニー床３ｂ（２５ｐ）上に露出する部分の周囲に耐火・防水用の外壁材８５を取り付けて備えることで、バルコニー柱３ｂ（２５ｐ）のバルコニー床３ｂ（２５ｐ）上に露出する部分の周囲に対し、外壁材８５により耐火機能及び防水機能を具備させることができる。
【００７８】
そして、バルコニー柱３ｂ（２５ｐ）下端のサイディング８１の外側にＢＰ鋼板８３を取り付けておき、バルコニー床上の床材５６・６７の上に防水シート５６・６６を敷いて、その防水シート５６・６６をバルコニー柱３ｂ（２５ｐ）下端のＢＰ鋼板８３の外側に覆って取り付けることで、バルコニー柱３ｂ（２５ｐ）下端の周囲に対し、サイディング８１外側のＢＰ鋼板８３外側の防水シート５６・６６により防水機能を具備させることができる。
【００７９】
（変形例）
以上の実施形態においては、３階建てや２階建ての建物としたが、本発明はこれに限定されるものではなく、４階建て以上の建物であってもよい。
また、実施形態では、バルコニー柱を四角柱（四角筒）としたが、円柱（円筒）でも三角柱（三角筒）でも五角柱（五角筒）以上でもよい。その場合、耐火材はバルコニー柱の形状に合わせればよい。
さらに、建物本体及びバルコニーの構成等も任意であり、例えば、建物本体の直交する三壁面や全周囲壁面に沿ってオーバーハングするバルコニーを設けたり、インナーバルコニーユニットの三面にキャンチバルコニーユニットを設けてもよく、その他、具体的な細部構造等についても適宜に変更可能であることは勿論である。
【００８０】
（実施形態２）
実施形態１では、ユニット式建物について説明したが、実施形態２においては、図示しないが、柱梁の軸材を構造体とする建物の出隅にバルコニーが形成される建物の耐火構造に適用する。
すなわち、その建物の耐火構造は、実施形態１と略同様に、出隅に位置し、バルコニーの柱として露出する柱材と、その柱材の下端で互いに直交する２方向に各々設けられて、バルコニーがそれぞれ連結される連結材（ブラケット）と、その２方向の連結材の上方で柱材の周囲に取り付けられて、バルコニーの床上に突出する防水立ち上がり（ボックス状ブラケット、サイディング、防水シート下地材、防水シート）と、その防水立ち上がりの一部から垂れ下がるサイディング下地材に取り付けられ、２方向の連結材の間に位置する耐火材（サイディング）と、を備える構成を特徴とするものである。
【００８１】
このように、柱梁の軸材を構造体とする建物の出隅にバルコニーが形成される建物において、出隅に位置する柱材がバルコニーの柱として露出し、そのバルコニーの柱として露出する柱材で、互いに直交する２方向に、バルコニーがそれぞれ連結される連結材（ブラケット）を各々設けて、その２方向の連結材の上方で柱材の周囲に、バルコニーの床上に突出する防水立ち上がり（ボックス状ブラケット、サイディング、防水シート下地材、防水シート）を取り付けて、その防水立ち上がりの一部から垂れ下がって取り付けられるサイディング下地材に、２方向の連結材の間に位置する耐火材（サイディング）を設けることで、出隅に位置してバルコニーの柱として露出する柱材に対する耐火機能を具備させることができる。
【００８２】
（変形例）
なお、バルコニーの柱として露出する柱材の下端において、互いに直交して、バルコニーがそれぞれ連結される２方向の連結材としたが、連結材の位置は柱材の下端より上方でもよい。
【符号の説明】
【００８３】
１  第一家屋本体部（建物本体）
２  第二家屋本体部（建物本体）
３  オーバーハング部
３ａ  インナーバルコニー
３ｂ  バルコニー柱
１１  １階建物ユニット
１２  １階建物ユニット
１３  １階建物ユニット
１４  １階建物ユニット
２１  ２階建物ユニット
２２  ２階建物ユニット
２３  ２階建物ユニット
２４  サービスバルコニーユニット（下屋バルコニーユニット）
２５  インナーバルコニーユニット
２５ｆ  バルコニーフレーム床部
２５ｆＤ  ダイヤフラム
２５ｆＬ  長辺梁
２５ｆＳ  短辺梁
２５ｐ  柱
２６  オーバーハングユニット
２７  オーバーハングユニット
２８  キャンチバルコニーユニット
２８ｆ  バルコニーフレーム床部
２９  コーナーキャンチバルコニーユニット
２９ｆ  バルコニーフレーム床部
２９ｇ  延長部
２９ｈ  中間梁
３１  ３階建物ユニット
３２  ３階建物ユニット
３３  小屋パネル
３４  小屋パネル
３５  下屋バルコニーユニット
３６  下屋バルコニーユニット
３７  下屋バルコニーユニット
３８  キャンチバルコニーユニット
３９  コーナーキャンチバルコニーユニット
４１  ブラケット
４２  受け板
５１  ブラケット
５２  耐火材
５３  床材
５４  補助梁
５５  面材
５６  防水シート
５７  断熱材
６１  外壁材
６２  笠木
６３  面材
６４  角パイプ
６５  山形鋼
６６  防水シート
６７  床材
７１  長辺側ブラケット
７２  耐火材の下地材
７３  短辺側ブラケット
８１  耐火材
８２  耐火材
８３  防水シート下地材
８４  隅パッチ
８５  外壁材
【図１】
2018150807.tif 000003
【図２】
2018150807.tif 000004
【図３】
2018150807.tif 000005
【図４】
2018150807.tif 000006
【図５】
2018150807.tif 000007
【図６】
2018150807.tif 000008
【図７】
2018150807.tif 000009
【図８】
2018150807.tif 000010
【図９】
2018150807.tif 000011
【図１０】
2018150807.tif 000012
【図１１】
2018150807.tif 000013
【図１２】
2018150807.tif 000014
【図１３】
2018150807.tif 000015
【図１４】
2018150807.tif 000016
【図１５】
2018150807.tif 000017
【図１６】
2018150807.tif 000018
【図１７】
2018150807.tif 000019